(57)【特許請求の範囲】
【請求項１】
前側の戸１の高さ方向の中間部前面に固定ケース３を固着し、固定ケース３にロックシリンダー４を前後方向に移動可能および回転可能に収容し、ロックシリンダー４のロータ２３の後端面に駆動カム突起２４を偏心位置に形成し、ロックシリンダー４の後部の直径方向にガイド孔２０にデッドボルト２１とデッドボルト２１の付勢用バネ２を収容し、デッドボルト２１の内端部に駆動カム突起２４が挿入される受動溝２５を形成し、固定ケース３の後部内壁面にデッドボルト２１が係脱する係止凹部２７を形成し、ロックシリンダー４の小径な後端部を固定ケース３の中央孔に摺動可能に嵌挿し、ロックシリンダー４の後端部にロック板５を連結してあり、
デッドボルト２１が前記ガイド孔２０に没入している解錠状態においては、固定ケース３の後端壁部１６とロックシリンダー４の環状肩部１９との間に挿入したバネ８によって、ロックシリンダー４の前端部をバネ８の付勢によって固定ケース３の前面側に突出させ、
前記バネ８の突出付勢に抗してロックシリンダー４を固定ケース３に押し込み、前記バネ８を固定ケース３の後端壁部１６とロックシリンダー４の環状肩部１９間に押し付けたとき、前記ロック板５が後側の戸２のロック孔６を通り抜け、前記ロータ２３の鍵孔２６に挿入した鍵７でロックシリンダー４を回すことによって、ロック板５の長辺側端部５ａ，５ｂをロック孔６の短辺側の孔縁部背面６ａ，６ｂに係合させ、
デッドボルト２１を固定ケース３の前記係止凹部２７に係合させて、ロックシリンダー４を固定ケース３に対して錠止させた後、鍵７をロックシリンダー４から抜き取るようにした引き違い戸用プッシュロック装置。
【発明の詳細な説明】
【０００１】
【発明が属する技術分野】
本発明は商品陳列ケースや小型キャビネット等に使用され、引き違いに開閉される前後２枚の戸を閉鎖位置において互いに移動不能に拘束するプッシュロック装置に関するものである。
【０００２】
【従来の技術】
図５に示したように従来のプッシュロック装置では、前側の戸３１の下部前面に固定ケース３３を固着してあり、固定ケース３３に前後方向に移動可能および回転可能に収容されたロックシリンダー３４は解錠状態において固定ケース３３の前面側に所定長さ突出しており、ロックシリンダー３４の後端部のロック軸部３５は後側の戸３２に形成したロック孔３６に対面するように配置されている。
閉鎖位置に引いた前後２枚の扉３１，３２を相互連結するには、ロックシリンダー３４を固定ケース３３に押し込むことによって、ロック軸部３５をロック孔３６に係合させる。この押し込み時にロックシリンダー３４が固定ケース３３に対して自動的に錠止される。
そして、前後２枚の戸３１，３２の相互連結を解除して戸３１または戸３２を開放するには、ロックシリンダー３４に挿入した鍵３７によって固定ケース３３に対するロックシリンダー３４の錠止を解除し、内蔵バネの付勢によってロックシリンダー３４の前端部を固定ケース３３から突出させ、ロック軸部３５をロック孔３６から脱出させるようになっている。
【０００３】
従来装置は、ロックシリンダーを押圧するだけで２枚の戸３１，３２のロックが自動的に成立するワンタッチ型であるため、操作が簡単であるという利便性を有する。しかしながら、プッシュロック装置は戸３１の下部に限定して設置されているため、図５の矢印Ａの方向すなわち左右横方向に対しては戸３１，３２を相互に移動拘束することができるけれども、図５の矢印Ｂの方向すなわち前後方向における戸３１，３２の変位を阻止することに対しては無力である。
そのため、戸３１，３２がアクリル板等の多少可撓性ある材料で構成されている陳列ケース等では、前後の戸３１，３２の高さ方向の中間部における重ね合わせ部分の隙間に手を差し込み、前側の戸３１を前面側に引張る一方、後側の戸３２を後面側に押し曲げることによって前記隙間を押し広げ、そこから腕を強引に突き入れて陳列棚の商品をわしづかみにする盗犯者が現れている。
【０００４】
【発明が解決しようとする課題】
したがって本発明の目的は、前後２枚の戸を左右横方向および前後方向のいずれにおいても相互拘束することができるため、防犯性が向上した引き違い戸用プッシュロック装置を提供することである。
【０００５】
【課題を解決するための手段】
以下、添付図面中の参照符号を用いて説明すると、本発明のプッシュロック装置では、前側の戸１の高さ方向の中間部前面に固定ケース３を固着し、固定ケース３にロックシリンダー４を前後方向に移動可能および回転可能に収容し、ロックシリンダー４のロータ２３の後端面に駆動カム突起２４を偏心位置に形成し、ロックシリンダー４の後部の直径方向にガイド孔２０にデッドボルト２１とデッドボルト２１の付勢用バネ２を収容し、デッドボルト２１の内端部に駆動カム突起２４が挿入される受動溝２５を形成し、固定ケース３の後部内壁面にデッドボルト２１が係脱する係止凹部２７を形成し、ロックシリンダー４の小径な後端部を固定ケース３の中央孔に摺動可能に嵌挿し、ロックシリンダー４の後端部にロック板５を連結してあり、
デッドボルト２１が前記ガイド孔２０に没入している解錠状態においては、固定ケース３の後端壁部１６とロックシリンダー４の環状肩部１９との間に挿入したバネ８によって、ロックシリンダー４の前端部をバネ８の付勢によって固定ケース３の前面側に突出させ、
前記バネ８の突出付勢に抗してロックシリンダー４を固定ケース３に押し込み、前記バネ８を固定ケース３の後端壁部１６とロックシリンダー４の環状肩部１９間に押し付けたとき、前記ロック板５が後側の戸２のロック孔６を通り抜け、前記ロータ２３の鍵孔２６に挿入した鍵７でロックシリンダー４を回すことによって、ロック板５の長辺側端部５ａ，５ｂをロック孔６の短辺側の孔縁部背面６ａ，６ｂに係合させ、
デッドボルト２１を固定ケース３の前記係止凹部２７に係合させて、ロックシリンダー４を固定ケース３に対して錠止させた後、鍵７をロックシリンダー４から抜き取る。
【０００６】
【発明の作用】
前後２枚の戸１，２を左右横方向に引いて共に閉鎖位置に移動させると、前側の戸１に装着したプッシュロック装置のロック板５は、後側の戸２のロック孔６に縦横整列して対面する位置に来る。ロックシリンダー４を固定ケース３の軸線方向にバネ８の突出付勢に抗して押し込むと、ロック板５がロック孔６を通過して後側の戸２の背面側に突き出る。
ロックシリンダー４に所定の鍵７を挿入してロックシリンダー４を９０度回すと、ロック板５の長辺側端部５ａ，５ｂがロック孔６の短辺側の孔縁部背面６ａ，６ｂに交差して係合する位置に来る。
ロックシリンダー４を固定ケース３に対して錠止させた後、鍵７をロックシリンダー４から抜き取る。前後２枚の戸１，２は、プッシュロック装置の固定ケース３とロック板５の間に挟まれ、閉鎖状態にロックされる。
【０００７】
戸１，２を開くには、ロックシリンダー４に鍵７を挿入して固定ケース３に対するロックシリンダー４の拘束を解除し、鍵７によってロックシリンダー４を前記とは逆方向に回す。これによってロック板５はロック孔６に整合した位置に戻されるため、ロックシリンダー４はバネ８の付勢によって前進移動し、前端部が固定ケース３から突出する。このようにロックシリンダー４が解錠位置に復帰するとき、ロック板５はロック孔６を前面方向に通り抜ける。
【０００８】
【発明の実施の形態】
図示の実施例では、ロックシリンダー４とロータ２３を含む錠前ユニット９はピンタンブラー型の錠前ユニットであり、ロータ２３の環状溝１０に挿入した半径方向の制止ピン１１によって、ロータ２３はロックシリンダー４からの抜き取りを制止されている。ロックシリンダー４の後端部１２は、主体部分より小径な丸棒状に形成されている。該後端部１２に断面角形突起１３には、ロック板５の中間部前面の角形凹部１４が嵌められており、ロック板５がビス１５によって相対回転不能に締付け固着されている。
【０００９】
固定ケース３は後端壁部１６を戸１の前面に直接突き当てられ、ビス１７によって戸１に締付け固着されている。なお、固定ケース３と戸１の間に補強板を挿入することもできる。
戸１には、ロック板５に符合した受孔１８を前後方向に貫通して設けてあり、解錠状態においては前記バネ８の突出付勢がロックシリンダー４に働いているため、ロック板５は前記受孔１８に没入した位置に保持されている。そのため、ロック板５が後側の戸２の前面に擦れて損傷することがない。
【００１０】
ロックシリンダー４の付勢用バネ８としては、後端部側から前端部側に向かうほど口径が減少していく圧縮コイルバネが使用されており、バネ８は固定ケース３の後端壁部１６とロックシリンダー４の環状肩部１９との間に挿入されている。ロックシリンダー４の主体部分の後部には、直径方向のガイド孔２０が形成されており、ガイド孔２０にはデッドボルト２１と圧縮コイルバネ２２が収容されている。錠前ユニット９のロータ２３の後端面には偏心位置に駆動カム突起２４を形成しており、デッドボルト２１には、駆動カム突起２４が挿入される受動溝２５を形成してある。
【００１１】
ロックシリンダー４を所定深さまで押し込んだ状態において、ロータ２３の鍵孔２６に挿入した鍵７でロータ２３を図４において反時計周り方向に回すと、駆動カム突起２４が受動溝２５の内壁面を押し、デッドボルト２１がガイド孔２０の内面を押すため、ロックシリンダー４は反時計周り方向に９０度回転し、デッドボルト２１の先端部が固定ケース３の内壁面の係止凹部２７に対面する位置に来る。
このとき鍵７から指を離すと、デッドボルト２１は圧縮コイルバネ２２の付勢によって突出し、係止凹部２７に係合する。これにとってロックシリンダー４は押し込み位置において固定ケース３に対して錠止される。
【００１２】
固定ケース３の内壁面には、固定ケース３の軸線方向の縦溝部２８ａと固定ケース３の円周方向の横溝部２８ｂとからなるＬ字状のガイド溝２８が形成されており、ロックシリンダー４の外面にはガイド溝２８に挿入されるガイドピン２９を半径方向に挿入固着してある。ガイドピン２９はバネ受板３０を貫通している。
ロックシリンダー４が前後方向に移動するときには、ガイドピン２９は縦溝部２８ａ内をスライドし、ロックシリンダー４が押し込み後に回転するときには、ガイドピン２９は横溝部２８ｂ内をスライドする。
【００１３】
このようにロックシリンダー４が９０度回転したときには、ロック板５の長辺側端部５ａ，５ｂはロック孔６の短辺側の孔縁部背面６ａ，６ｂに交差して係合する位置に来ており、前後２枚の戸１，２は相互に連結され、左右横方向に移動したり前後方向に変位することはできない。戸１，２の相互連結が成立した後、鍵７は錠前ユニット９から抜き取られる。
戸１，２の相互連結を解除するには、錠前ユニット９に鍵７を挿入し、鍵７でロータ２３を図４において時計周り方向に回し、駆動カム突起２４で受動溝２５の前記とは反対側の内壁面を押して、デッドボルト２１をロックシリンダー４内に引き戻せば良い。
【００１４】
ロータ２３をそのまま９０度まで回転させると、ロック板５がロック孔６に縦横整列した位置に来るため、鍵７から指を離すと、バネ８の付勢によってロックシリンダー４を前進移動し、ロック板５はロック孔６を前面側に通り抜けることになる。固定ケース３の外面はカバー３ａによって被覆されている。後側の戸２には補強板２ａが固着されており、ロック孔６は補強板２ａを貫通して形成されている。
【００１５】
【発明の効果】
以上のように構成された本発明のプッシュロック装置では、前後２枚の戸１，２は、前側の戸１に固着したプッシュロック装置のロックシリンダー４の後端部が後側の戸２のロック孔６に挿通されているため、左右横方向には移動不能に相互に連結される。
また、前後２枚の戸１，２は、プッシュロック装置の固定ケース３とロック板５の間に挟まれているため、前後方向への相対変位を制止されており、戸１，２の重ね合わせ部分の隙間を押し広げることによって、腕を強引に差し込み、陳列棚などから貴金属などの商品を掴み取ることはできない。
このように前後２枚の戸１，２は左右横方向および前後方向のいずれにおいても相互拘束されるため、防犯性の高い引き違い引き違い戸用プッシュロック装置が得られる。
【図面の簡単な説明】
【図１】本発明の一実施例に係るプッシュロック装置の斜視図であり、解錠状態を示している。
【図２】図１のプッシュロック装置の斜視図であり、施錠状態を示している。
【図３】図１のプッシュロック装置の縦断面図であり、解錠状態を示している。
【図４】図１のＡ−Ａ線拡大断面図である。
【図５】従来のプッシュロック装置の使用状態を示す斜視図である。
【符号の説明】
１  戸
２  戸
３  固定ケース
４  ロックシリンダー
５  ロック板
６  ロック孔
７  鍵
８  突出付勢用バネ
【図１】
0003544194.tif 000002
【図２】
0003544194.tif 000003
【図３】
0003544194.tif 000004
【図４】
0003544194.tif 000005
【図５】
0003544194.tif 000006